(57)【特許請求の範囲】
【請求項１】
オーディオ信号を増幅してスピーカに送信する、消音ピンを備えたオーディオアンプであって、前記消音ピンに消音信号を受信すると前記スピーカへの前記オーディオ信号の送信を中止するオーディアンプと、
前記消音ピンに接続された第１のマイクロプロセッサであって、前記消音ピンを介して前記消音信号を前記オーディオアンプに送信する、第１のマイクロプロセッサと、
モードピンを有し、ＯＮ又はＯＦＦの動作モードを表すモード信号を発生する第２のマイクロプロセッサと、
前記モードピンに接続された入力端と前記消音ピンに接続された第１の出力端とを備えた消音回路と、
を備え、
前記消音回路は、動作モードがＯＦＦからＯＮに変化したことを示す前記モードピンに受信されたモード信号に応答して、前記消音ピンを介して前記消音信号を前記オーディオアンプに送信するのを、所定期間だけ遅らせる遅延部を含む、
ことを特徴とする電子デバイス。
【請求項２】
前記オーディオアンプは、スタンバイピンをさらに含み、
前記消音回路は、前記スタンバイピンに接続された第２の出力端を含み、
前記遅延部は、動作モードがＯＦＦからＯＮに変化したことを示す前記モード信号に応答して、前記所定期間、前記スタンバイピンにスタンバイ指示を送信し続ける、
ことを特徴とする請求項１記載の電子デバイス。
【請求項３】
前記第１のマイクロプロセッサ及び前記消音回路は、ＯＲ回路を介して前記消音ピンにそれぞれ接続されることを特徴とする請求項１又は２に記載の電子デバイス。
【請求項４】
前記第２のマイクロプロセッサで、デバイスのＯＮ動作モードを表すモード信号をモードピンに発生するステップと、
前記第２のマイクロプロセッサで、デバイスのＯＦＦ動作モードを表すモード信号をモードピンに発生するステップと、
前記ＯＦＦ動作モードを表す前記モード信号に応答して、前記消音回路によって前記消音信号を前記消音ピンに送信するステップと、
を連続的に有することを特徴とする請求項１記載の電子デバイスの制御方法。
【請求項５】
前記電子デバイスはさらに、ＤＣ電圧を発生させる電力供給部を含み、
前記ＯＦＦ動作モードを表す前記モード信号の発生から前記消音ピンに前記消音信号を送信するまでの期間は、前記ＤＣ電圧の出力の時定数よりも短いことを特徴とする請求項４記載の方法。
【請求項６】
前記第２のマイクロプロセッサで、デバイスのＯＦＦ動作モードを表すモード信号をモードピンに発生するステップと、
前記第２のマイクロプロセッサで、デバイスのＯＮ動作モードを表すモード信号をモードピンに発生するステップと、
前記ＯＮ動作モードを表す前記モード信号に応答して、前記オーディオアンプの非動作状態を意味するスタンバイモードから動作状態を意味する通常モードへの切り替えを、所定期間だけ遅らせるステップと、
を連続的に有することを特徴とする請求項２記載の電子デバイスの制御方法。
【発明の詳細な説明】
【０００１】
【発明の属する技術分野】
本発明は、オーディオアンプを有する電子デバイスおよびこの電子デバイスの制御方法に関する。
【０００２】
【従来の技術】
このような電子デバイスは現在広く使用されている。アンプによって発生された信号は直接または別のアンプを介してスピーカに音響再生のため送出される。
【０００３】
デバイスの動作モードが変化するときに問題が発生することがある。なぜならアンプに供給されるエネルギーが制御できずに変化し、結果として発生された信号が妨害を受けることがあるからである。このことはポップ音として知られる現象をスピーカに引き起こすこととなる。
【０００４】
種々の解決手段がこの妨害を低減するために提案されてきた。
【０００５】
例えば特許願ＥＰ０７８５５０１には、ＴＴＬ  ＰＯＷＥＧＯＯＤ信号を使用することが記載されている。この信号は、ＵＳ特許第５２２４０１０に記載された電力供給器の専用パワーエラー検知器により発生される。ＰＯＷＥＲＧＯＯＤの遅延変形信号がオーディオアンプをパワーアップの間、消音するのに使用され、ＰＯＷＥＲＧＯＯＤはパワーダウンの間、オーディオアンプを消音するのに使用される。
【０００６】
しかしこのようなパワーエラー検知器はコストの掛かる素子であり、安価な電力供給器には備えられていない。
【０００７】
特許願ＥＰ０８６２２６５に記載された別の解決手段では、マイクロプロセッサがオーディオアンプを特別のピンによって割込ルーチンの間、消音する。この割込ルーチンは供給電圧の低下を検知に基づきトリガされる。前記特許願の説明では、この方法は緩慢であり、消音動作は妨害を発生する電圧の低下後に初めて発生される。
【０００８】
ＥＰ０８６２２８６では、フライバックトランスを使用する別の解決手段が提案される。この解決手段は、このようなフラバックトランスが設けられていない電子デバイスでは実現することができない。さらに提案された解決手段はツェナーダイオードを使用し、これは高価な素子である。
【０００９】
【発明が解決しようとする課題】
本発明の課題は、電子デバイスのコストを低減し、同時にオーディオアンプにより発生される妨害を低減することである。
【００１０】
【課題を解決するための手段】
この課題は本発明により、モードピンを有する第２のマイクロプロセッサと、消音回路とが設けられており、
前記消音回路の出力端は前記モードピンに接続されており、出力端は前記消音ピンに接続されている、ことを特徴とする電子デバイスによって解決される。
【００１１】
【発明の実施の形態】
さらに可能な構成は次のとおりである：
・消音回路の遅延部分はモードピンに接続された入力端と、オーディオアンプのスタンバイピンに接続された出力端を有する；
・遅延部分はＲＣネットワークを有し、このＲＣネットワークはモードピンとスタンバイピンとの間に挿入されている；
・ＲＣネットワークはトランジスタのベースに接続されており、このトランジスタのコレクタはスタンバイピンに抵抗を介して接続されている；
・キャパシタがモードピンとトランジスタのベースとの間に挿入されている；
・前記トランジスタのコレクタは消音ピンにダイオードおよびレジスタを介して直列に接続されている；
・消音回路の出力および第１のマイクロプロセッサのコントロールピンは、消音ピンに接続されたＯＲ回路に入力される；
本発明はさらに電子デバイスの制御方法を提供するものであり、以下の連続ステップを有する：
・デバイスのＯＮ動作モードを表す信号をモードピンに発生するステップ；
・デバイスのＯＦＦ動作モードを表す信号をモードピンに発生するステップ；
・デバイスのＯＦＦ動作モードを表す信号を消音ピンに消音回路によって伝送するステップ；
・オーディオアンプを消音するステップ。
【００１２】
この方法の別の側面では、電子デバイスがさらに少なくとも１つのＤＣ出力端の設けられた電力供給部を有し、デバイスのＯＦＦ動作モードを表す信号を消音ピンに消音回路によって伝送するための時間はＤＣ出力が一定である時間よりも短い。
【００１３】
本発明はさらに電子デバイスを制御するための方法を提供するものであり、以下の連続ステップを有する：
・デバイスのＯＦＦ動作モードを表す信号をモードピンに発生するステップ；
・デバイスのＯＮ動作モードを表す信号をモードピンに発生するステップ；
・ＯＮモードを表す信号がスタンバイピンにより受信されるとき、オーディオアンプをスタンバイモードに切り替えるステップ；
・所定期間の間、待機するステップ；
・オーディオアンプを通常モードに切り替えるステップ。
【００１４】
【実施例】
以下の実施例で本発明は、ＴＶ受信機に実現される。音響再生のためにＴＶ受信機は主として、オーディオ処理回路２，オーディオアンプ４およびスピーカ６を有する。オーディオ処理回路２はオーディオ信号を、例えばフロントエンド（チューナおよび復調器）またはビデオプレーヤ（例えばＶＣＲまたはＤＶＤプレーヤ）から受信した複合ビデオ信号（ＣＶＢＳ）から抽出する。
【００１５】
オーディオ処理回路２により発生されたオーディオ信号はオーディオアンプ４により増幅され、スピーカ６に送出され、スピーカは相応の音響信号を発生する。
【００１６】
ＴＶ受信機は電力供給部（図示せず）を有し、その出力端には種々の直流（ＤＣ）電圧が発生される。この電力供給部は例えばＴＶ受信機で広く使用されているスイッチングモード電力供給部（ＳＭＰＳ）とすることができる。そのＵａ出力端に電力供給部は、ＴＶ受信機がＯＮのとき２２Ｖを発生する。アンプ４には電気的にＵａ出力が供給される。
【００１７】
ＴＶ受信機は主として、マイクロプロセッサ８と専用ユーザインターフェースマイクロプロセッサ１０を有する。一般的に、専用マイクロプロセッサ１０はＴＶ受信機のいくつかの電子回路、ここではユーザインタフェース（ＵＩ）のために専用に使用され、これにはオーディオアンプ４も含まれる。ＵＩマイクロプロセッサ１０はコントロールピンを有し、このコントロールピンはアンプ４の消音ピン１６にＯＲ回路１４を介して接続されている。ＵＩマイクロプロセッサ１０が消音信号をそのコントロールピン１２に発生するとき、アンプ４は消音信号をその消音ピン１６に受信し、結果としてスピーカ６への信号の送信を中止する。
【００１８】
メインプロセッサ８とＵＩプロセッサ１０は双方向リンク１８、例えば１２Ｃポートを介してリンクされている。メインプロセッサ８はモードピン２０を有し、これはＴＶ受信機の動作モードを表すモード信号を発生する。例えばモードピン２０では、ＴＶ受信機がＯＮであるとき（このことは各電子回路に電力供給部から給電され、動作可能であることを意味する）、電圧がハイレベル（５Ｖ）であり、受信機がＯＦＦまたはスタンバイ（これは電子回路の少なくとも一部に電力供給部から給電されないか、または動作しないことを意味する）であるとき、ローレベル（０Ｖ）である。
【００１９】
モード信号は切替可能回路（その状態は動作モードに依存する）により受信される。この切替可能回路には、専用切替可能回路２４（例えばチューナまたはビデオ処理回路）、ＵＩマイクロプロセッサ１０および消音回路が含まれる。これについては後で詳細に説明する。
【００２０】
消音回路２６はまた電気的に電力供給部のＵａ出力端２２から給電される。消音回路２６はアンプ４の消音ピン１６にＯＲ回路１４を介して接続されている。
消音回路２６からの消音信号は従ってスピーカ６を消音する。
【００２１】
図２は、図１の回路の詳細な実現例を示す。オーディオアンプ４は、複数のピンを有する集積回路（ＩＣ）である。
【００２２】
２つの入力ピン４０，４２が信号処理回路にそれぞれオーディオ信号を受信するために接続されており、この信号は増幅され、出力ピン３６，３８を介して第１および第２のスピーカ６，７（図１では明りょうにするため１つのスピーカ６しか図示されていない）に出力される。キャパシタＣ４とＣ５は、それぞれの出力ピン３６，３８とスピーカ６，７との間に、ＤＣ電圧をろ波するため挿入されている。
【００２３】
音量ピン３４と消音ピン１６がＵＩマイクロプロセッサ１０に接続されている。音量ピン３４は、ユーザにより選択された再生音量を表す信号を出力する。これらの信号はＵＩマイクロプロセッサ１０（ポイントＶから）により、例えばＵＩマイクロプロセッサ１０に接続されたメモリに記憶された情報に依存して送出される。この情報はユーザにより例えばオンスクリーンディスプレイ（ＯＳＤ）メニューにより変更することができる。
【００２４】
消音ピン１６はＵＩマイクロプロセッサ１０のコントロールピン１２に、抵抗１０およびダイオードＤ２を介して直列に接続されている。音量制御のためにＵＩマイクロプロセッサ１０は消音命令（ハイレベル）をアンプ４に送信し、さらにユーザからの相応のコマンドを送信する。キャパシタＣ３はアース点２３と、コントロールピン１２とは反対側の抵抗Ｒ１０の端部に接続されている。このキャパシタＣ３は消音ピン１６での急激な電圧遷移を回避するもので、これにより、消音がＵＩマイクロプロセッサ１０によりアクティブ／非アクティブにされるとき「クリック」音が除去される。
【００２５】
アンプ４にはＵａ出力端からパワーピン４４を介して給電される。このピンにはインダクタンスＬ１が抵抗Ｒ１１（この抵抗は線路抵抗を表す）に直列に接続されている。
【００２６】
消音回路２６は第１の部分２８を有し、この第１の部分はＯＮからＯＦＦへの変化のために構成されている。これについては後で説明する。
【００２７】
トランジスタＴ１のエミッタはアース２３に接続され、そのコレクタはＵａ出力端２２に抵抗Ｒ３を介して接続されている。そのベースは一方ではモードピン２０に並列の抵抗Ｒ２とキャパシタＣ１を介して、他方ではアース３２に抵抗Ｒ１を介して接続されている。
【００２８】
トランジスタＴ１のコレクタはアンプ４のスタンバイピン３２にダイオードＤ１を介して接続されている。スタンバイピン３２はまた消音ピン１６に抵抗Ｒ９によって接続されている。
【００２９】
消音回路２６はまた第２の部分３０を含む。この第２の部分はＯＦＦからＯＮへの変化のために構成されており、後で説明する。
【００３０】
トランジスタＴ２のエミッタはアース２３に接続されており、そのコレクタは分圧器に接続されている。さらに正確に言えば、トランジスタＴ２のエミッタは抵抗Ｒ８を介してＵａ出力端２２に、また抵抗Ｒ７を介してアース２３に接続されている。トランジスタＴ２のコレクタはスタンバイピン３２に抵抗Ｒ６によって接続されている。
【００３１】
トランジスタＴ２のベースはモードピン２０に、抵抗Ｒ４とダイオードＤ３の並列回路を介して接続されており、またアース２３に抵抗Ｒ５とキャパシタＣ２の並列回路を介して接続されている。
【００３２】
消音回路２６の動作を以下、図３ａからｈに基づいて詳細に説明する。
【００３３】
Ｕａ出力端での電圧が図３ａに示されている。ＴＶ受信機がＯＦＦであるとき、Ｕａ出力端の電圧ももちろん０Ｖである。ＴＶ受信機がスイッチオンされると、Ｕａ出力端の電圧は比較的緩慢に２２Ｖのその通常値に上昇し、ＤＣ電圧を発生するために電力供給部を制御する。同じようにＴＶ受信機がスイッチオフされるとき、Ｕａ出力端２２の電圧は緩慢に低下する。この現象は所定の時定数、例えば約４ｓで発生する。
【００３４】
反対にモードピン２０の電圧（５Ｖｓ）は厳密にＯＮおよびＯＦＦモードに尖鋭な変化を以て対応する。これは上に説明し、図３ｂに示されているとおりである。モードピン２０は、ユーザから指令を受信するときＴＶ受信機の動作モードについての変化情報を他の回路（例えば専用切替可能回路２４）に指示するからである。
【００３５】
トランジスタＴ１のベースおよびコレクタの電圧はそれぞれ図３ｃと図３ｄに示されている。
【００３６】
ＯＮモードにあるとき、Ｔ１のベース電圧は分圧器Ｒ１，Ｒ２により定められる。この分圧器の抵抗値は、キャパシタＣ１が充電されるとトランジスタＴ１がオンになるよう設定されている。トランジスタＴ１がオンであるから、Ｔ１のエミッタ電圧はローであり、ダイオードＤ１はブロックされる。その結果、消音回路２６の第１の部分２８は、アンプピンにＯＮモードである間は影響を与えない。
【００３７】
モードピンの電圧が０Ｖに低下するとき、キャパシタＣ１はまだ充電されているから、キャパシタは直ちに相応の負の電圧をＴ１のベースに発生する。その結果、トランジスタＴ１は急速にスイッチオフされ、約５Ｖの高電圧をＴ１のコレクタに発生する。従ってダイオードＤ１が開放し、スタンバイピン３２と消音ピン１６（これらの電圧はそれぞれ図３ｇと図３ｈに示されている）をハイレベルに引き上げる。従ってアンプ４は消音される。
【００３８】
キャパシタＣ１により消音は非常に高速に（１０ｍｓ以下）行われ、Ｕａが緩慢に低下することにより発生するシリアスなノイズは出現するだけの時間を有しない。消音回路２６の第１の部分は高速インバータとして動作する。
【００３９】
消音ピン１６の電圧が上記のように消音回路２６によってハイレベルにセットされると、ダイオードＤ２がブロックされ、キャパシタＣ３は消音ピン１６の電圧を緩慢に上昇させるのには何の影響を及ぼさない。これは意図的なものである。なぜなら目的はＯＮからＯＦＦへの変化の間にクリック音を回避するのではなく、さらにうるさいポップ音を除去することだからである。
【００４０】
その後、Ｕａ出力端２２の電圧は（Ｔ１のブロックと比較して緩慢に）低下し、このことは消音回路２６の全ての部分とピン１６，３２の電圧を同じように低下させる。しかしこの電圧低下の間、アンプ４は消音され、これによりポップ音が回避される。
【００４１】
要約すれば、消音回路２６の第１の部分２８の目的は、ＴＶ受信機がスイッチオフされるときアンプ４を非常に高速に消音することである。
【００４２】
消音回路２６の第２の部分３０の動作を下に説明する。トランジスタＴ２のベースとコレクタの電圧は図３ｅと図３ｆにそれぞれ示されている。
【００４３】
ＴＶ受信機がスイッチオンされると、モードピン２０の電圧は非常に急速に上昇する。その結果、ダイオードＤ３はブロックされ、抵抗Ｒ４とＲ５はキャパシタＣ２と共に（ＲＣネットワークを実現する）、Ｔ２のベース電圧を０Ｖから緩慢に上昇させる。ここでは電圧が０．６Ｖに上昇するまでトランジスタＴ２はスイッチオフされており、それからトランジスタＴ２はアクティブにされる。
【００４４】
上昇エッジがモードピン２０で受信された後、約４ｓの期間が存在し、その間はトランジスタはブロックされたままである。
【００４５】
従ってトランジスタＴ２のコレクタはこの期間の間、ハイレベルに（分圧器Ｒ７，Ｒ８と後続のＵａ出力端の電圧により決められる）なる。これは図３ｆに示されている。
【００４６】
スタンバイピン３２の電圧もハイレベルであり、これによりスタンバイ指令がアンプ４に伝送される。消音ピン１６の電圧のまたハイレベルである。
【００４７】
前記期間の後、トランジスタＴ２はオンになる（キャパシタＣ２が充電され、トランジスタＴ２のベース電圧はＲ４とＲ５から定まる）。従ってトランジスタＴ２のコレクタ電圧は低下し、スタンバイピン３２も同様に低下する。オーディオアンプ４はもはやスタンバイではない。
【００４８】
要約すると、消音回路の第２の部分３０によって、ＴＶ受信機に給電されるときアンプ４のスタンバイモードから通常モードへの切り替えが遅延される。（この理由から第２の部分は遅延部と称される。）従って装置の他の全ての回路は、オーディオアンプ４が動作する前に通常動作することが保証される。例えば初期化ルーチンをＵＩマイクロプロセッサ１０で実行し、このルーチンはメインマクロコントローラ８のモードピン２０におけるモード信号を基準にして遅延することができる。
【００４９】
ＴＶ受信機がスイッチオフされると、ダイオードＤ２はＣ２を急速に放電し、その結果、所望のようにスタンバイ遅延回路は、短時間で続く次のパワーアップの間も短縮されない。
【００５０】
以下の値が上記実施例では使用された：
Ｒ１＝７．５Ω
Ｒ２＝３３ｋΩ
Ｃ１＝０．４７μＦ
Ｒ３＝２２ｋΩ
Ｃ３＝１μＦ
Ｒ１０＝１ｋΩ
Ｒ４＝２７ｋΩ
Ｃ２＝４７０μＦ
Ｒ５＝１０ｋΩ
Ｒ９＝１５ｋΩ
Ｃ４＝４７０μＦ
Ｃ５＝４７０μＦ
Ｌ１＝３３μＨ
Ｒ８＝２２ｋΩ
Ｒ７＝６．８ｋΩ
本発明のは上記の実施例に制限されるものではない。マイクロプロセッサとは広義に理解すべきであり、マイクロコントローラおよび回路を制御することのできる類似の回路を含む。
【図面の簡単な説明】
【図１】本発明の電子デバイスの主要素子を概略的に示す回路図である。
【図２】本発明の実現実施例を詳細に示す回路図である。
【図３】図２の回路の種々の点で種々の動作モードに対して発生する電圧を示す線図である。
【符号の説明】
２  オーディオ処理回路
４  オーディオアンプ
６  スピーカ
１０  ユーザインタフェース・マイクロプロセッサ
１２  コントロールピン
１４  ＯＲ回路
１６  消音ピン
２０  モードピン
２６  消音回路
【図１】
0004773628.tif 000002
【図２】
0004773628.tif 000003
【図３】
0004773628.tif 000004